(57)【特許請求の範囲】
【請求項１】
回転する光ディスクのトラックに沿って光を照射して情報信号の記録又は再生を行う光ピックアップ装置において、
光源と、
前記光源から射出された光の平行度を変化させるビームエキスパンダーと、
前記ビームエキスパンダーから射出された光を前記光ディスクのトラックに沿って集光して照射する対物レンズと、
を有し、
前記ビームエキスパンダーは、凹レンズと回折レンズからなり、前記回折レンズの焦点距離ｆnは、
ｆ1＝（（λ2／λ1）−１）ｆ0ν0
ｆ2＝（１−（λ2／λ1））ｂ
として、式
ｆ1＜ｆn＜ｆ2
を満たす範囲にあることを特徴とする光ピックアップ装置。
ただし、設計規準波長、設計下限波長及び設計上限波長をそれぞれλ0，λ1，λ2（ここで、λ0−λ1＝λ2−λ0とする。）、これらの波長に相当する前記対物レンズの屈折率をそれぞれｎ0，ｎ1，ｎ2、波長λ1及びλ2に相当する焦点距離の差をΔとして、
ν0＝（ｎ0−１）／（ｎ1−ｎ2）
ｂ＝−ｆ0（ｆ0＋Δ）／Δ
とする。
【請求項２】
前記対物レンズは、集光する光が前記光ディスクのトラックに沿って照射されるように前記光ディスクの径方向に移動制御され、前記ビームエキスパンダーは、固定されていることを特徴とする請求項１記載の光ピックアップ装置。
【請求項３】
前記光源の波長が４５０ｎｍ以下であり、前記対物レンズは、開口数（ＮＡ）が０．７以上の単レンズであることを特徴とする請求項１又は２のいずれか１項に記載の光ピックアップ装置。
【請求項４】
前記回折レンズは、平板の片側又は両側に回折面が形成されたものであることを特徴とする請求項１乃至３のいずれか１項に記載の光ピックアップ装置。
【発明の詳細な説明】
【０００１】
【発明の属する技術分野】
本発明は、光ディスクに光を照射して情報信号の記録又は再生を行う光ピックアップ装置に関する。
【０００２】
【従来の技術】
従来、光学記録媒体である光ディスクは、動画、音声、コンピューター用データなどの情報信号（データ）保存のために用いられている。また、この光ディスクは、良好な量産性と低コスト性のため、広く普及している。この光ディスクに対しては、記録される情報信号の高密度化、大容量化の要望が強く、近年においてもこの要望はますます強くなっている。
光ディスクにおいて記録される情報信号の記録密度を上げるには、この情報信号の読み出しに用いる光束の短波長化と、該光束を光ディスク上に集光させる対物レンズとして高い開口数（ＮＡ）のレンズを使うことの２つが有効である。
このため、ＣＤ（Compact Disc）からＤＶＤ（Digital Versatile Disc，Digital Video Disc）への発展の過程では、波長が７８０ｎｍから６５０ｎｍに短縮され、対物レンズのＮＡが０．４５から０．６０に高められたので、記録密度は６５０ＭＢから４．７ＧＢ（片面）へ約７倍の向上が達成されている。
また、記録型の光ディスクシステムは、光磁気方式、相変化方式共に各種あるが、波長とＮＡは、ほぼ前記の値に近いものが使われている。
これらのシステムにおいては、現在は、ガラスあるいは樹脂を成形した、単玉型の対物レンズが使われている。これは、レンズの両面を非球面形状として収差の補正を行ったレンズであり、成形で作れることから、コストと量産性に優れているため、もっとも普及している。
ここで、光ディスクの記録密度を更に高めて、更に大容量の記憶システムを実現するためには、更に波長の短い、いわゆる青色レーザーと、よりＮＡの高い対物レンズとの組み合わせのシステムが期待されている。
【０００３】
例えば光源の波長が４５０ｎｍ以下で、開口数が０．７以上の対物レンズを用いた光ピックアップにおいては、軸上色収差と、球面収差の色収差を同時に補正することが不可欠である。ここで、軸上色収差とは波長変化による焦点位置の変化であり、球面収差の色収差とは波長変化による球面収差である。なお、本明細書中においては、球面収差の色収差について、波長誤差による球面収差と呼ぶ。このように光源の波長が４５０ｎｍ以下で、開口数が０．７以上の対物レンズの場合に、軸上色収差と球面収差の色収差の補正が必要になる理由は次のとおりである。
【０００４】
第１に、波長が４５０ｎｍ以下では、対物レンズを構成するガラスなどの光学材料の分散が大きくなる。このため、大きな軸上収差が発生すると同時に、球面収差の発生が大きくなる。
【０００５】
第２に、対物レンズの開口数が大きくなると、レンズの周辺での屈折角が大きくなるため、僅かな波長変化に対しても、大きな屈折角の変化が生じる。このため球面収差の発生が大きくなる。
【０００６】
軸上色収差と波長誤差による球面収差は、色収差という点では共通しているが、次のように異なった理由により生じ、それぞれ特徴を有する。
【０００７】
軸上色収差は、ピックアップ装置においては、レーザダイオードにおける高周波重畳による波長に広がりと、光ディスクへの記録時のレーザダイオードにおける急激なパワー変化に伴う急激な波長変化、さらにはレーザダイオードの個体差による波長誤差に由来している。
【０００８】
パワー変化による軸上色収差は、パワー変化と同時に発生し、変化が急激であるので、対物レンズを焦点方向に駆動するフォーカスサーボによっては追随することはできない。対応すべき波長の範囲ないし変化幅は、±１〜±２ｎｍ程度と狭い。また、レーザダイオードが高周波重畳されている場合には、波長に幅のある光束が同時にレンズに入射されることになるので、特定の波長以外の成分に対して、常に焦点誤差が発生することになる。
【０００９】
光ピックアップ装置においては、波長に拡がりがある場合や波長が急激に変化した場合は、軸上色収差によるフォーカス誤差が生じて、特性の劣化を来す。このデフォーカス（焦点誤差）による収差の劣化は、かなり大きいので、補正が不可欠である。
【００１０】
一方、波長誤差による色収差は、個別のレーザダイオードの特性のばらつきによる波長のばらつきと、レーザダイオードの温度変化による波長変化とによるものである。
【００１１】
この波長誤差による色収差には、一定であるか、変化しても比較的ゆったりとしているという特徴がある。また、対応すべき波長の範囲は、±５〜±１０ｎｍくらいと前述した軸上色収差の場合に比べて狭い。
【００１２】
【発明が解決しようとする課題】
ところで、従来、色収差の補正には、屈折レンズとは逆極性の色収差特性を有する回折レンズが有用であることが知られている。最も簡単には、凸レンズとされた回折レンズと、その回折レンズと焦点距離の絶対値が等しい屈折型の凹レンズを組み合わせて、レンズパワーをゼロとしたレンズ系を対物レンズの前に置けば色収差の補正が出来ると言い得る。
【００１３】
ここで回折レンズは、平板上にブレーズ構造が形成されたものであって、設計波長において設計基準焦点距離において軸上光線が無収差で集光されるように設計されていて、かつ設計波長で高い回折効率を持ったレンズのことである。
【００１４】
しかしながら、例えば開口数０．７以上で波長４５０ｎｍ以下のように、開口数が高く波長が短い光源に単レンズの対物レンズを適用する場合には、波長が設計基準波長からずれた場合に発生する波長誤差による球面収差が大きくなり、単純な回折レンズでは、充分な補正が行えないと言う問題点があった。
【００１５】
一方、特開平６−８２７２５号公報によれば、対物レンズの発生する色収差を完全に補正する、回折レンズの設計方法が示唆されている。この内容は、前記公報の発明者による「回折光学素子入門（オプトロニクス社）」９４ページに詳細が述べられている。
【００１６】
しかし、この方法によれば、波長誤差による球面収差を補正することが出来るものの、補正レンズを光学系の固定部においた場合、対物レンズのトラッキング動作で生じるレンズシフトで大きな収差が出るという問題がある。すなわち、トラッキング動作によって駆動される対物レンズと固定部の他の光学系との光軸がずれることにより、コマ収差を主成分とする収差が生じ、光ディスクの記録再生に著しい悪影響を与える。
【００１７】
この問題は、補正レンズを対物レンズと一体で動かせば回避できるが、これら対物レンズ及び補正レンズを駆動するアクチュエーターの可動部が重くなり、アクチュエーターの周波数特性が低下し、必要な帯域が確保できないという問題が生じる。
【００１８】
本発明は、前述の実情に鑑みて提案されるものであって、対物レンズと他の光学系の光軸がずれても収差を抑制するような光ピックアップ装置を提供することを目的とする。
【００１９】
【課題を解決するための手段】
前述の課題を解決するために、本発明に係る光ピックアップ装置は、回転する光ディスクのトラックに沿って光を照射して情報信号の記録又は再生を行うものであって、光源と、前記光源から射出された光の平行度を変化させるビームエキスパンダーと、前記ビームエキスパンダーから射出された光を前記光ディスクのトラックに沿って集光して照射する対物レンズと、を有し、前記ビームエキスパンダーは、凹レンズと回折レンズからなり、前記回折レンズの焦点距離ｆnは、
ｆ1＝（（λ2／λ1）−１）ｆ0ν0
ｆ2＝（１−（λ2／λ1））ｂ
として、式
ｆ1＜ｆn＜ｆ2
を満たす範囲にある。
【００２０】
ただし、設計規準波長、設計下限波長及び設計上限波長をそれぞれλ0，λ1，λ2（ここで、λ0−λ1＝λ2−λ0とする。）、これらの波長に相当する前記対物レンズの屈折率をそれぞれｎ0，ｎ1，ｎ2、波長λ1及びλ2に相当する焦点距離の差をΔとして、
ν0＝（ｎ0−１）／（ｎ1−ｎ2）
ｂ＝−ｆ0（ｆ0＋Δ）／Δ
とする。
【００２１】
好ましくは、前記対物レンズは、集光する光が前記光ディスクのトラックに沿って照射されるように前記光ディスクの径方向に移動制御され、前記ビームエキスパンダーは、光ピックアップ装置に固定されている。したがって、対物レンズの移動に応じて、対物レンズと、ビームエキスパンダーを含む他の光学系の光軸がずれることがある。
【００２２】
好ましくは、前記光源の波長が４５０ｎｍ以下であり、前記対物レンズは、開口数（ＮＡ）が０．７以上の単レンズである。
【００２３】
好ましくは、前記回折レンズは、平板の片側又は両側に回折面が形成されたものである。好ましくは、平板の両側に回折面が形成された回折レンズは、正弦条件を満たす。
【００２４】
ここで、平板の片側に回折面が形成された回折レンズをフレネルレンズと称する。フレネルレンズには、１次回折光で補正したものと、高次回折光で補正したものがある。後者のフレネルレンズを、高次のフレネルレンズと称することがある。
【００２５】
ビームエキスパンダーを構成する回折レンズは、特定の次数の回折光を用いる平板の片側又は両側に形成された回折レンズである。この回折レンズは、特定の次数の回折光に対して、無収差でかつ回折効率が高くなるように設計されていると同時に、回折レンズの焦点距離が対物レンズの色収差により発生する焦点誤差成分、すなわち軸上誤差を略補正するように設定されている。
【００２６】
一方、光源の波長と対物レンズの設計基準波長の誤差、対物レンズの製造誤差あるいは、光ディスクの透過層の厚さ誤差により球面収差が生じるが、この球面収差は、ビームエキスパンダーによって光束の平行度を変化させることで補正する。なお、ビームエキスパンダーの凹レンズも、軸上色収差を補正する効果を僅かに担っている。
【００２７】
ここで、回折レンズは、波長が基準波長より長くなった場合に、透過光の収束度を増やす。これにより、波長が長くなることで、対物レンズの焦点距離が長くなった分を相殺して、基準波長とほぼ同じ焦点面に焦点を結ぶように作用する。
【００２８】
波長誤差がある場合、回折レンズを通過した光の波面は、収束光の近軸焦点位置へ収束する球面に近い形状となる。これは、対物レンズがレンズシフトした場合に収差の増大を押さえるためである。
【００２９】
球面波が入射した場合のレンズシフトは、対物レンズに光が斜め入射した場合と等価であり、像高特性そのものに相当する。ここで、色収差を補正するための球面波の半径は非常に大きいため、レンズシフトによる像高は非常に小さく、収差の増加は少ない。
【００３０】
ところで、前述のように基準波長以外では対物レンズに入る光束が平行光でなくなるために、倍率誤差による球面収差が発生する。この倍率誤差による球面収差は、対物レンズの単体の波長誤差による球面収差と同じ極性を持っているので、基準波長以外での収差は、対物レンズ単体でその基準波長以外の光束を集光した場合に比べて多少大きくなる。
【００３１】
ここで、前記した球面収差は、ビームエキスパンダーを調整して対物レンズに入射される光束の平行度を変化させて、対物レンズに倍率誤差の球面収差を発生させて相殺させる。このとき、平行度を変化させられた光は、略球面波となる。したがって、前記した理由と同一の理由により、レンズシフトによる収差の発生が小さく抑えられる。
【００３２】
このように球面収差の補正は、対物レンズにおいて完結しており、他の部分に関わることはない。したがって、本発明においては、対物レンズの光軸と他の光学系の光軸がずれても、収差は抑制されている。
【００３３】
本発明においては、ビームエキスパンダーは、次のように設定される。まず、中心波長で収差が最小になるように、光束の収束度を設定する。ここで中心波長とは、光源の波長のばらつきがある場合は、そのばらついた波長の例えば平均値ことである。また、収束度は、色補正素子、対物レンズの両者を合わせた光学系の球面収差を最小にするように設定される。
【００３４】
次に、中心波長から僅かにずれた波長に対しては、ビームエキスパンダーにより、光束の収束度が変化させ、フォーカス誤差が最小に抑えることで収差の発生が抑圧する。
【００３５】
ここで、波長が基準波長から変化した場合、波面の曲率半径の変化は、軸上色収差の補正と球面収差の補正で逆方向である。たとえば、長波長側の波長では、軸上色収差を補正するためには収束光が必要であり、球面収差の補正をするためには拡散光が必要である。
【００３６】
このずれた波長では、波長がずれたことと、前記したように球面収差が補正される方向とは逆に収束度が変化するので、球面収差は増加する。しかし、この球面収差は、軸上色収差を補正しない場合に発生する、デフォーカスによる収差に比べて遙かに小さく実用上問題にならない。
【００３７】
【発明の実施の形態】
以下、本発明に係る光ピックアップ装置の実施の形態について、図面を参照して詳細に説明する。
【００３８】
図１は、光ピックアップ装置の概略的な構成を示す図である。
【００３９】
光ピックアップ装置１０は、回転する光ディスク１０１のトラックに沿って光を照射して情報信号の記録又は再生を行うものであって、光源となるレーザダイオード１１と、レーザダイオード１１から射出された光の平行度を変化させるビームエキスパンダー１８と、ビームエキスパンダー１８から射出された光を前記光ディスク１０１のトラックに沿って集光して照射する対物レンズ１９と、を有し、ビームエキスパンダー１８は、凹レンズ１６と平板の片面に回折面が形成されたフレネルレンズ１７からなり、フレネルレンズ１７の焦点距離ｆnは、
ｆ1＝（（λ2／λ1）−１）ｆ0ν0
ｆ2＝（１−（λ2／λ1））ｂ
として、式
ｆ1＜ｆn＜ｆ2
を満たす範囲にある。
【００４０】
ただし、この光学ピックアップ装置１０の設計規準波長、設計下限波長及び設計上限波長をそれぞれλ0，λ1，λ2（ここで、λ0−λ1＝λ2−λ0とする。）、これらの波長に相当する対物レンズ１９の屈折率をそれぞれｎ0，ｎ1，ｎ2、波長λ1及びλ2に相当する焦点距離の差をΔとして、
ν0＝（ｎ0−１）／（ｎ1−ｎ2）
ｂ＝−ｆ0（ｆ0＋Δ）／Δ
とする。
【００４１】
ここで、ｆ0は、対物レンズ１９の焦点距離であり、ν0は、対物レンズ１９の光学材料の部分分散である。また、設計基準波長とは、この光学ピックアップ装置１０を設計する際に、規準とする波長である。光ピックアップ装置１０は、設計基準波長を中心とした一定の波長範囲で所望の性能が得られるように設計する。この範囲の下限及び上限が、設計下限波長及び設計上限波長である。なお、設計下限波長及び設計上限波長は、設計基準波長について対称な位置にある。
【００４２】
すなわち、光ピックアップ装置１０は、光源となる規準波長４０５ｎｍのレーザダイオード１１と、グレーティング１２と、コリメータレンズ１３と、ビーム成型及び色消しプリズム１４と、偏向ビームスプリッタ１５と、凹レンズ１６と、フレネルレンズ１７と、開口数０．７以上の対物レンズ１９とを有している。
【００４３】
また、光ピックアップ装置１０は、コンデンサレンズ２０と、フロントモニタフォトダイオード２１と、検出レンズチューブ２２と、フォトダイオード２３とを有している。
【００４４】
対物レンズ１９は、開口数（ＮＡ）０．７以上の非球面レンズによる単レンズであり、図示しないアクチュエーターの可動部に設けられる。対物レンズ１９は、集光した光を光ディスク１０１のトラックに沿って照射するように、アクチュエーターによって光ディスク１０１の径方向にトラッキング制御される。トラッキング制御による対物レンズ１９の移動をレンズシフトと称する。
【００４５】
ビームエキスパンダー１８は、凹レンズ１６とフレネルレンズ１７からなり、この２枚のレンズの間隔を調整することで光の平行度を変化させることが出来る。ビームエキスパンダー１８は、光ピックアップ装置１０に固定されている。したがって、レンズシフトにより、対物レンズ１９と他の光学径の光軸は、ずれることになる。
【００４６】
フレネルレンズ１７は、ビームエキスパンダー１８において、凹レンズ１６に対して凸レンズとしての機能を有するものであって、その焦点距離は、対物レンズの色収差により発生する焦点誤差成分を補正するように設計されている。
【００４７】
フレネルレンズ１７は、設計に用いた次数の回折光に対して、無収差でかつ回折効率が高くなるように設計されたものであればよい。本実施の形態では、フレネルレンズは、平板の片側に回折面が形成されたものである。
【００４８】
本実施の形態では、設計基準波長λ0、設計下限波長λ1及び設計上限波長λ2を、それぞれ４０５ｎｍ、４００ｎｍ及び４１０ｎｍに設定している。対物レンズ１９の焦点距離は２．２ｍであり、波長λ0，λ1及びλ2にそれぞれ対応する対物レンズの１９の屈折率ｎ0，ｎ1，ｎ2は、それぞれ１．７６８９８，１．７７０２７及び１．７６７７６である。
【００４９】
このとき、ｂ＝０．００４５ｍｍであり、ｆ1＝１６．９ｍｍ、ｆ2＝２６．９ｍｍになる。したがって、フレネルレンズ１７の焦点距離ｆnは、式
１６．９ｍｍ＜ｆn＜２６．９ｍｍ
を満たす範囲に設定する必要がある。具体的に、本実施の形態では、この範囲において、焦点距離ｆn＝２２ｍｍに設定している。
【００５０】
図２は、フレネルレンズ１７を示す図である。図中のＡはフレネルレンズ１７の正面図であり、図中のＢはフレネルレンズ１７の断面図である。図中のＣは、他のフレネルレンズの拡大断面図である。
【００５１】
図中のＢの断面図に示すフレネルレンズ１７には、平板の片側に、形状がアナログ的なブレーズが形成されている。このような形状は、回折効率の点で有利である。なお、収差性能の観点からは、図中のＣに示す階段状のブレーズ、いわゆる多段ブレーズを有する他のフレネルレンズによっても、前記アナログ的なブレーズと同様な特性を得ることができる。
【００５２】
ここで、通常フレネルレンズ言う場合は、１次回折光を用いることが多いと思われるが、２次以上の高次の回折光を用いた高次のレンズであっても良い。この場合は、輪帯のピッチを広くすることができるので、製造が容易になる。なお、高次の回折光を用いる場合であっても、フレネルレンズのその高次光に対する焦点距離は１次回折光を用いた場合と同じ焦点距離で、色収差を補正することが出来る。
【００５３】
また、フレネルレンズ１７の焦点距離は、対物レンズ１９の色収差により発生する焦点誤差成分を略補正するように設定されているが、ビームエキスパンダー１８の凹レンズ１６の光学材料に分散の大きなものを選定すると、この凹レンズ１６も幾ばくかの色収差補正作用を発生する。したがって、フレネルレンズ１７の焦点距離は、この点を勘案して設定すればさらに良好な結果が得られる。ただし、実際には、凹レンズ１６による色収差の補正効果は僅かであり、フレネルレンズ１７が色収差補正の大半を担う。
【００５４】
また、フレネルレンズ１７において、光束径が一定の場合、焦点距離が短くなると、輪帯のピッチが狭くなる。ピッチが狭くなると、製造が難しくなることを勘案して、色収差の補正の効果は少し低く設定して、フレネルレンズ１７の焦点距離を、色収差を最適に補正できる焦点距離よりも多少長く設定することも出来る。
【００５５】
図３は、光ピックアップ装置１０の光学系の光路図である。
【００５６】
図中の凹レンズ３１、フレネルレンズ３２及び対物レンズ３３は、図１の凹レンズ１６、フレネルレンズ１７及び対物レンズ１９にそれぞれ対応している。以下ではこれら凹レンズ３１、フレネルレンズ３２及び対物レンズ３３を光学系と呼ぶことにする。凹レンズ３１及びフレネルレンズ３２は、ビームエキスパンダー（図１の１８に相当）を構成している。この光学系の設計基準波長は、４０５ｎｍである。
【００５７】
凹レンズ３１は第１の面１及び第２の面２を有し、フレネルレンズ３２は、第３の面３及び第４の面４を有し、対物レンズ３３は第５の面５及び第６の面６を有する。フレネルレンズ３２の第３面には、回折面が形成されている。
【００５８】
光学系に入射された光Ｌは、凹レンズ３１、フレネルレンズ３２及び凸レンズ３３を介して光ディスク１０１に入射する。
【００５９】
表１は、対物レンズ３３の仕様を示す。
【００６０】
【表１】
0003716805.tif 000002
表２は、フレネルレンズ３２の仕様を示す。
【００６１】
【表２】
0003716805.tif 000003
表３は、ビームエキスパンダーを含む光学系全体の設計値を示す。
【００６２】
【表３】
0003716805.tif 000004
表４は、第５面５の非球面係数を示す。
【００６３】
【表４】
0003716805.tif 000005
表５は、第６面６の非球面係数を示す。
【００６４】
【表５】
0003716805.tif 000006
表６は、光学材料の屈折率及びアッベ数を示す。
【００６５】
【表６】
0003716805.tif 000007
本実施の形態の光学系の設計基準波長は４０５ｎｍである。凹レンズ３１とフレネルレンズ３２はビームエキスパンダーを構成するが、この内で凹レンズ３１は片側非球面レンズで、規準波長における焦点距離は−１７．６ｍｍである。なお、凹レンズ３１は両側非球面レンズであってももちろん良いが、本実施の形態の片側非球面レンズで充分良好な特性が得られる。
【００６６】
第３の面３と第４の面４で構成され、第３面３に回折面が形成されたフレネルレンズ３２は、規準波長における焦点距離が２２ｍｍで軸上の収差が無くなるように設計されている。
【００６７】
なお、１次回折光に対して２２ｍｍに設計しても、２次回折光に対して２２ｍｍで設計しても良い。ちなみに１次回折光に対して設計した場合、２次回折光の焦点距離は１１ｍｍとなるが、この場合は収差が発生する。
【００６８】
フレネルレンズ３２を凹レンズ３１と組み合わせたビームエキスパンダーによるビームの拡大率は１．２５倍である。この光学系の場合、凹レンズ３１により拡散光とされた光束を平行光に変換することフレネルレンズ３２の第１の目的である。
【００６９】
なお、凹レンズ３１とフレネルレンズ３２の間にカバーガラスがある場合、あるいはフレネルレンズ３２の第４面４を回折面として、実質的にカバーガラスが光路中に存在するように成された場合は、カバーガラスにより発生する球面収差を補正するために、回折面の設計を変化させた構成にすることができる。
【００７０】
図４は、この光学系の収差の波長依存性を示す図である。
【００７１】
符号△を結ぶ曲線ａは、基準波長である４０５ｎｍにおける、凹レンズ３１、フレネルレンズ３２及び対物レンズ３３からなる光学系における４０５ｎｍの最良像面での各波長のＲＭＳ波面収差である。光学系への光束は平行光入射である。これによれば、±２ｎｍ程度の波長範囲では、十分低い収差に押さえられていることがわかる。
【００７２】
また、レンズシフトに関しては、凹レンズ３１及びフレネルレンズ３２からなるビームエキスパンダーを出た光束が概ね平行光であるから、対物レンズ３３への入射光の状態がレンズシフトで変化しないために、収差の増加はない。
【００７３】
次に、光ピックアップ装置１０の周辺温度が大きく変化して、光源のレーザー波長が前述の範囲を超えて変化した場合や、光源のレーザダイオード１１の個体差により、規準波長の４０５ｎｍから大きく変化した場合を考える。この場合は、収差が増大する。たとえば、波長４０９ｎｍの場合は、０．０７４λとなってしまう。
【００７４】
そこで、凹レンズ３１とフレネルレンズ３２の間隔を調整して、光束の平行度を変化させる。具体的には、凹レンズ３１の第２面２とフレネルレンズ３２の第３面３間の距離の初期値である３．１２ｍｍの間隔を２．７６ｍｍにして、光束を僅かに拡散光束として入射させれば、良い結果が得られる。
【００７５】
符号×を結ぶ曲線ｂは、この場合のＲＭＳ波面収差の様子を示したものである。波長４０９ｎｍにおいて、収差は０．０１λであり、その前後±２ｎｍ程度の波長範囲では、十分低い収差に押さえられていることがわかる。
【００７６】
この状態で、対物レンズ３３を他の光学系（凹レンズ３１及びフレネルレンズ３２）の光軸から０．３ｍｍシフトしても収差増加は非常に小さく、全く問題のない性能が得られる。
【００７７】
ここで、参考のために、ビームエキスパンダーなしの対物レンズ３３単体の特性を示す。
【００７８】
符号◆を結ぶ曲線ｃは、対物レンズ３３を各波長の最良像面で使用した場合のＲＭＳ波面収差である。これに対して、符号□を結ぶ曲線ｄは、４０５ｎｍの波長の最良像面における各波長のＲＭＳ波面収差である。曲線ｄは、曲線ｃに比べて遙かに大きな収差であることが示されている。本実施の形態における各波長での収差量を示す曲線ｂをこの曲線ｄと比較すると、収差は小さく抑えられている。
【００７９】
上述の実施の形態において、フレネルレンズ３２は、平板の片側に回折面が形成されたものであった。次に、平板の両側に回折面が形成された回折レンズを用いる変形例を説明する。
【００８０】
変形例では、平板の両側に回折面が形成された回折レンズを用いることを除いて、光学系の基本構成は前述の実施の形態と同様である。
【００８１】
図５は、変形例の光学系の光路図である。
【００８２】
なお、変形例においては、平板の両側に回折面が形成された回折レンズを除いて前述の実施の形態と同様であるので、対応する部材には同一の符号を附すことにする。この変形例の光学系の設計基準波長も、４０５ｎｍである。
【００８３】
凹レンズ３１は第１の面１及び第２の面２を有し、回折レンズ４２は、第３の面３及び第４の面４を有し、対物レンズ３３は第５の面５及び第６の面６を有する。回折レンズ４２の第３面３及び第４面４には、回折面が形成されている。
【００８４】
光学系に入射された光Ｌは、凹レンズ３１、回折レンズ４２及び凸レンズ３３を介して光ディスク１０１に入射する。
【００８５】
変形例では、設計基準波長λ0、設計下限波長λ1及び設計上限波長λ2を、それぞれ４０５ｎｍ、４００ｎｍ及び４１０ｎｍに設定している。対物レンズ３３の焦点距離は２．２ｍであり、波長λ0，λ1及びλ2にそれぞれ対応する対物レンズの１９の屈折率ｎ0，ｎ1，ｎ2は、それぞれ１．７６８９８，１．７７０２７及び１．７６７７６である。
【００８６】
このとき、ｂ＝０．００４５ｍｍであり、ｆ1＝１６．９ｍｍ、ｆ2＝２６．９ｍｍになる。したがって、回折レンズ４２の焦点距離ｆnは、式
１６．９ｍｍ＜ｆn＜２６．９ｍｍ
を満たす範囲に設定する必要がある。具体的に、変形例では、この範囲において、焦点距離ｆn＝２２ｍｍに設定している。
【００８７】
表７は、光学系全体の設計値を示す。
【００８８】
【表７】
0003716805.tif 000008
表８は、第５面の非球面係数を示す。
【００８９】
【表８】
0003716805.tif 000009
表９は、第６面の非球面係数を示す。
【００９０】
【表９】
0003716805.tif 000010
３面３と４面４で構成される回折レンズ４２は、焦点距離が、基準波長で２２ｍｍである。この設計では、１次回折光に対して、焦点距離２２ｍｍで軸上の収差が無くなるように設計されている。
【００９１】
さらに、正弦条件が満足できるように設計されている。正弦条件を満足できることは、平板の両側に回折面が形成された回折レンズ４２の有利な点であり、この回折レンズ４２が光軸から偏芯した場合の収差の増加を低く抑えることができる特徴がある。
【００９２】
回折レンズ４２の回折面の位相関数は、次の式で定義されている。
【００９３】
Φ＝Ａ2i×ｒ2i
ここで、Φは回折面による波面の位相変化量であり、単位はラジアンである。Ａは、位相を表す係数である。たとえば、ｉ＝２なら４乗の係数である。ｒは半径であり、単位はｍｍである。
【００９４】
表１０は、第３面３の回折面の位相を表す係数を示す。
【００９５】
【表１０】
0003716805.tif 000011
表１１は、第４面４の回折面の位相を表す係数を示す。
【００９６】
【表１１】
0003716805.tif 000012
凹レンズ３１と回折レンズ４２からなるビームエキスパンダーにおいて、光束の拡大率は１．２５倍である。
【００９７】
さて変形例の光学系の４０５ｎｍの像面におけるＲＭＳ波面収差は、０．００４λである。同じ像面で、４０４ｎｍでは０．０１７λであり、４０６ｎｍでは０．０１６λと充分に良好な色収差の補正特性を示している。レンズシフトに関しては、色収差補正素子を出た光束が概ね平行光であるから、対物レンズ３３への入射光の状態がレンズシフトで変化しないために、収差の増加はない。
【００９８】
次に、光ピックアップ装置の周辺温度が大きく変化して、光源のレーザー波長が前述の範囲を超えて変化した場合や、光源のレーザダイオードの個体差により、波長が４０５ｎｍから大きく変化した場合を考える。この場合は、収差が増大する。たとえば、４０９ｎｍの場合は、０．０５８λとなってしまう。
【００９９】
そこで、凹レンズ３１と回折レンズ４２の間隔を調整して、光束の平行度を変化させる。具体的には、凹レンズ３１の第２面２と回折レンズ４２の第３面３間の距離の初期状態である２．４３ｍｍの間隔を２．０８ｍｍにして、光束を僅かに拡散光束として入射させれば、収差は０．００９λと低い値に押さえられる。さらに、この状態で、対物レンズ３３を光軸から０．３ｍｍシフトしても収差は０．０１λであり増加は非常に小さく、全く問題のない性能が得られる。
【０１００】
この回折レンズ４２としては、設計に用いた次数の回折光に対して、無収差でかつ回折効率が高くなるように設計されたものであればよい。また、平板の両側の回折面における回折光の次数は異なっていても作用は変わらない。
【０１０１】
この変形例の回折レンズ４２も、レンズとしての焦点距離は、片面に回折面を形成した前述の実施の形態のフレネルレンズ３２と同じ焦点距離で、色収差を補正することが出来る。
【０１０２】
さらに、回折レンズ４２の焦点距離は、対物レンズ３３の色収差により発生する焦点誤差成分を略補正するように設定されているが、ビームエキスパンダーを構成する凹レンズ３１の光学材料に分散の大きなものを選定すると、この凹レンズ３１も幾ばくかの色収差補正作用を発生する。したがって、回折レンズ４２の焦点距離は、この点を勘案して設定すればさらに良好な結果が得られる。ただし、実際には、凹レンズ３１による色収差の補正効果は僅かであり、回折レンズ４２が色収差補正の大半を担う。
【０１０３】
また、フレネルンズ４２の場合、光束径が一定の場合、焦点距離が短くなると、輪帯のピッチが狭くなる。ピッチが狭くなると、製造が難しくなることを勘案して、色収差の補正の効果は少し低く設定して、回折レンズ４２の焦点距離を、色収差を最適に補正できる焦点距離よりも多少長く設定することも出来る。
【０１０４】
以上においては、色収差に着目して論述したが、ここで述べた光学系で補正する球面収差は、波長誤差による球面収差のみに限定されたものではなく、対物レンズ１９自体の残留球面収差、ディスク１０１の厚さ誤差による球面収差を同時に補正できることは言うまでもない。
【０１０５】
すなわち、本実施の形態の光ピックアップ装置は、良好な収差補正特性を有する共に、光源のレーザダイオード１１の波長と対物レンズ１９の設計基準波長の誤差、対物レンズ１９の製造誤差、又は光ディスク１０１の透過層の厚さ誤差等で発生する球面収差をも同時に補正する。
【０１０６】
【発明の効果】
前述したように、本発明によると、対物レンズと他の光学系の光軸がずれても収差を抑制するような光ピックアップ装置を提供することができる。
【図面の簡単な説明】
【図１】光ピックアップ装置の概略的な構成を示す図である。
【図２】フレネルレンズを示す図である。
【図３】光ピックアップ装置の光学系の光路図である。
【図４】この光学系の収差の波長依存性を示す図である。
【図５】変形例の光学系の光路図である。
【符号の説明】
１１  レーザダイオード
１６  凹レンズ
１７  フレネルレンズ
１８  ビームエキスパンダー
１９  対物レンズ
１０１  光ディスク
【図１】
0003716805.tif 000013
【図２】
0003716805.tif 000014
【図３】
0003716805.tif 000015
【図４】
0003716805.tif 000016
【図５】
0003716805.tif 000017